(57)【特許請求の範囲】
【請求項１】
被観察部に挿入され、先端部と基端部とを有する長尺の挿入部と、
前記先端部に設けられ、被観察体からの光を受光可能な第１の受光部と、
前記第１の受光部の近傍に開口する先端側開口部と、
前記先端側開口部に連通し、前記挿入部内に挿通された管路と、
前記挿入部内に挿通され、前記第１の受光部で受光した光を伝達する第１の光伝達部と、
前記被観察体からの光を受光可能な、前記第１の受光部と異なる第２の受光部と、
前記管路に挿通可能であって、前記第２の受光部で受光した光を伝達する第２の光伝達部と、
前記第１の光伝達部により伝達された光と、前記第２の光伝達部により伝達された光とが合流される合流部と、
を備えたことを特徴とする内視鏡。
【請求項２】
さらに前記基端部よりも基端側に設けられ、前記挿入部に連設された基端側本体部と、
前記基端側本体部に設けられ、前記管路に連通する開口を有する基端側開口部と、
前記基端側本体部に設けられ、前記第２の光伝達部が接続されて前記基端側本体部の外側と内側との間で導光し、前記合流部に導光可能な接続部と、
を備えたことを特徴とする請求項１に記載の内視鏡。
【請求項３】
前記基端側本体部は、前記挿入部の基端部に連設される操作部と、前記操作部の基端側に連設される長尺な可撓管部と、前記可撓管部の基端側に連設されるとともに前記合流部で合流された光が伝達される本体装置に着脱可能なコネクタ部と、を備えたことを特徴とする請求項２に記載の内視鏡。
【請求項４】
前記接続部は、前記基端側開口部を介して前記管路に挿入可能な前記第２の光伝達部により伝達された光を導光可能であるとともに、前記第２の光伝達部を着脱可能な第１の接続部を備えたことを特徴とする請求項２に記載の内視鏡。
【請求項５】
前記第２の光伝達部は、先端に前記第２の受光部を備え、前記第２の受光部を前記先端側開口部近傍まで挿入することで前記被観察部からの光を受光可能であることを特徴とする請求項４に記載の内視鏡。
【請求項６】
前記第２の光伝達部の基端部は、前記第１の接続部が接続される第２の接続部を有し、  前記第２の接続部は、先端にカバーガラスが設けられていることを特徴とする請求項４に記載の内視鏡。
【請求項７】
前記第１の接続部は、前記第２の光伝達部の基端部に対向する位置にカバーガラスが設けられていることを特徴とする請求項４に記載の内視鏡。
【請求項８】
被観察部に挿入され、先端部と基端部とを有する長尺の挿入部と、
前記先端部に設けられ、被観察体からの光を受光可能な第１の受光部と、
前記第１の受光部の近傍に開口する先端側開口部と、
前記先端側開口部に連通し、前記挿入部内に挿通された管路と、
前記挿入部内に挿通され、前記第１の受光部で受光した光を伝達する第１の光伝達部と、
前記被観察体からの光を受光可能な、前記第１の受光部と異なる第２の受光部と、
前記管路に挿通可能であって、前記第２の受光部で受光した光を伝達する第２の光伝達部と、
前記第１の光伝達部により伝達された光と、前記第２の光伝達部により伝達された光とが合流される合流部と、
前記合流部により合流された光を検出し、画像処理を行う本体装置と、
を備えたことを特徴とする内視鏡システム。
【請求項９】
さらに前記本体装置に設けられ、前記第２の光伝達部が接続されて前記本体装置の外側と内側との間で導光し、前記合流部に導光可能な接続部を備えたことを特徴とする請求項８に記載の内視鏡システム。
【発明の詳細な説明】
【技術分野】
【０００１】
本発明は、レーザ光を走査させる内視鏡及び内視鏡システムに関する。
【背景技術】
【０００２】
周知の如く、ＣＣＤ、ＣＭＯＳ等の固体撮像素子を有した撮像装置により被検体像を光電変換して、モニタに取得画像を表示する電子内視鏡がある。近年、このような固体撮像素子の技術を用いず、被写体像を画像表示する装置として、走査型の内視鏡がある。この走査型の内視鏡は、光源からの照明光を導光する照明ファイバの先端を走査させ、被検体からの戻り光を照明ファイバの周囲に配置された検出ファイバで受光し、経時的に検出した光強度信号を用いて被写体像を画像化する。【０００３】
この走査型内視鏡は、照明ファイバを変位させて照明光を走査させるアクチュエータ等の駆動部を挿入部の先端部内に設け、挿入部の先端の照明レンズからレーザ光等の照明光を照射することで、被写体を照明する。【０００４】
例えば、特開２０１１−１１５２５２号公報には、照明光を体腔内まで伝送するシングルモードファイバを備え、このシングルモードファイバの先端を共振させた状態で照明光を射出することにより、対象物を所定の走査パターンで走査する走査型の医療用プローブが開示されている。【０００５】
しかしながら、このような走査型医療用プローブは、外径の制約上、搭載可能な検出ファイバの本数だけでは明るさが不足してしまうことがある。目的部位に到達した後の比較的近点を観察している場合は、明るさを確保することができるが、目的部位に到達するまでの比較的遠点を観察している場合は、特に明るさが不足してしまう。【０００６】
十分な明るさを確保するために、検出ファイバの本数を増やすと、外径が太くなり、細い管路に挿入できなくなってしまう。また、十分な明るさを確保するために、照明用のレーザ光の光量を増加すると、被写体に対して規定以上のレーザ光量が照射される虞がある。【０００７】
そこで、本発明は、挿入部の外径の太径化を防ぎ、かつ、必要以上に高レベルのレーザ光を照射することなく、目的部位まで到達するのに必要な明るさを確保することができる内視鏡及び内視鏡システムを提供することを目的とする。
【発明の開示】
【課題を解決するための手段】
【０００８】
本発明の一態様の内視鏡は、被観察部に挿入され、先端部と基端部とを有する長尺の挿入部と、前記先端部に設けられ、被観察体からの光を受光可能な第１の受光部と、前記第１の受光部の近傍に開口する先端側開口部と、前記先端側開口部に連通し、前記挿入部内に挿通された管路と、前記挿入部内に挿通され、前記第１の受光部で受光した光を伝達する第１の光伝達部と、前記被観察体からの光を受光可能な、前記第１の受光部と異なる第２の受光部と、前記管路に挿通可能であって、前記第２の受光部で受光した光を伝達する第２の光伝達部と、前記第１の光伝達部により伝達された光と、前記第２の光伝達部により伝達された光とが合流される合流部と、を備える。
【０００９】
また、本発明の一態様の内視鏡システムは、被観察部に挿入され、先端部と基端部とを有する長尺の挿入部と、前記先端部に設けられ、被観察体からの光を受光可能な第１の受光部と、前記第１の受光部の近傍に開口する先端側開口部と、前記先端側開口部に連通し、前記挿入部内に挿通された管路と、前記挿入部内に挿通され、前記第１の受光部で受光した光を伝達する第１の光伝達部と、前記被観察体からの光を受光可能な、前記第１の受光部と異なる第２の受光部と、前記管路に挿通可能であって、前記第２の受光部で受光した光を伝達する第２の光伝達部と、前記第１の光伝達部により伝達された光と、前記第２の光伝達部により伝達された光とが合流される合流部と、前記合流部により合流された光を検出し、画像処理を行う本体装置と、を備える。
【図面の簡単な説明】
【００１０】
【図１】第１の実施の形態に係る内視鏡の全体構成を説明するための図である。
【図２】内視鏡の先端構成を説明するための図である。
【図３】外付け検出ファイバとコネクタの接続構成を説明するための断面図である。
【図４】内視鏡１を有する内視鏡システムの電気的な構成を説明するための図である。
【図５】第１の実施の形態の変形例に係る内視鏡システムの構成を説明するための図である。
【図６】第２の実施の形態に係る内視鏡の構成を示す図である。
【図７】外付け検出ファイバ接続部とコネクタの接続部との接続構成を説明するための断面図である。
【図８Ａ】外付け検出ファイバ接続部とコネクタの接続部との他の接続構成を説明するための図である。
【図８Ｂ】外付け検出ファイバ接続部とコネクタの接続部との他の接続構成を説明するための図である。
【図９】コネクタの接続部の構成を説明するための図である。
【図１０Ａ】コネクタの接続部の他の構成を説明するための図である。
【図１０Ｂ】コネクタの接続部の他の構成を説明するための図である。
【発明を実施するための最良の形態】
【００１１】
以下、図面を参照して本発明の実施の形態を説明する。【００１２】
（第１の実施の形態）
まず、図１から図３を用いて、第１の実施の形態の内視鏡の全体構成について説明する。【００１３】
図１は、第１の実施の形態に係る内視鏡の全体構成を説明するための図であり、図２は、内視鏡の先端構成を説明するための図であり、図３は、外付け検出ファイバとコネクタの接続構成を説明するための断面図である。【００１４】
図１に示す内視鏡１は、レーザ光（照明光）を走査させながら被観察体に照射し、被観察体からの戻り光を得る走査型の内視鏡であり、被観察部に挿入され、先端部２ａ及び基端部２ｂを有する長尺な挿入部２と、基端部より基端側に設けられ、挿入部２に連設された内視鏡本体部３とを有して構成されている。【００１５】
基端側本体部としての内視鏡本体部３は、挿入部２の基端部２ｂに連設される操作部４と、操作部４の基端側に連設される長尺な可撓管部５と、可撓管部５の基端側に連設されるコネクタ６とにより構成されている。このコネクタ６は、後述する本体装置５０（図４参照）に着脱自在に構成されている。【００１６】
操作部４には、挿入部２内に鉗子等の処置具を挿通するための処置具挿通口７が設けられている。この処置具挿通口７は、後述する処置具挿通チャンネル１６（図２参照）に連通する開口を有する基端側開口部を構成する。【００１７】
また、コネクタ６には、後述する外付け検出ファイバ１０の接続部１２が着脱可能な接続部８（第１の接続部）が設けられている。外付け検出ファイバ１０は、挿入部１１と、挿入部１１の基端側に設けられ、コネクタ６の接続部８に着脱可能な接続部１２（第２の接続部）とを有している。【００１８】
図２に示すように、挿入部２内には、後述する本体装置５０のレーザ光源７１（図４参照）からの光を導光し、被観察体にレーザ光を照射する光ファイバ１３が挿通されている。また、挿入部２内には、被観察体からの戻り光を第１の受光部としての先端面１４ａで受光する検出ファイバ１４が挿通されている。この検出ファイバ１４は、内視鏡本体部３にも挿通されており、基端部がコネクタ６内の合流部１５に連通されている。第１の光伝達部としての検出ファイバ１４は、先端面１４ａで受光した戻り光を合流部１５に伝達（導光）する。【００１９】
また、挿入部２内には、処置具挿通口７に連通し、処置具を挿通可能な管路としての処置具挿通チャンネル１６が挿通されている。さらに、検出ファイバ１４の先端面１４ａの近傍には、処置具挿通チャンネル１６に連通する開口を有する先端側開口部としての開口部１７が設けられている。【００２０】
外付け検出ファイバ１０は、挿入部１１を処置具挿通口７から処置具挿通チャンネル１６へ挿通し、接続部１２をコネクタ６の接続部８に接続することで、被観察体からの戻り光を受光し、コネクタ６内に設けられた合流部１５に導光することができる。外付け検出ファイバ１０は、内視鏡本体部３の外側と内側との間で被観察体からの戻り光を導光可能な導光部を構成する。【００２１】
図３に示すように、外付け検出ファイバ１０は、挿入部１１の先端部にレンズ２０がレンズ枠２１により固定されている。また、外付け検出ファイバ１０は、接続部１２の基端部にカバーガラスを兼ねるレンズ２２がレンズ枠２３により固定されている。そして、レンズ２０とレンズ２３との間には、被観察体からの戻り光を導光する第２の光伝達部としての検出ファイバ２４が設けられている。検出ファイバ２４は、レンズ２０に連設された第２の受光部としての先端面２４ａで被観察体からの戻り光を受光する。【００２２】
接続部１２の基端側には、係止リング２５が設けられている。また、コネクタ６の接続部８の内壁には、係止リング２５と嵌合する係止溝２６が設けられている。これにより、外付け検出ファイバ１０の接続部１２がコネクタ６の接続部８に接続された際に、係止リング２５が係止溝２６に嵌合する。【００２３】
外付け検出ファイバ１０の接続部１２がコネクタ６の接続部８に接続された際に、レンズ２２に対向する位置には、カバーガラス２７が設けられている。外付け検出ファイバ１０の検出ファイバ２４で導光された被観察体からの戻り光は、レンズ２２及びカバーガラス２７を介して合流部１５に導光される。【００２４】
また、合流部１５には、検出ファイバ１４の基端部が連設されており、検出ファイバ１４から被観察体からの戻り光が導光される。このように、コネクタ６内に設けられた合流部１５には、検出ファイバ１４からの戻り光が導光されるとともに、外付け検出ファイバ１０の挿入部１１が処置具挿通チャンネル１６に挿通されることで、外付け検出ファイバ１０からの戻り光も導光される。【００２５】
合流部１５は、例えばスプリッタ等であり、検出ファイバ１４からの戻り光と外付け検出ファイバ１０からの戻り光とを合流する。合流部１５で合流された戻り光は、リレーレンズ群２８を介して、後述する本体装置５０に導光される。【００２６】
なお、接続部８及び合流部１５を設ける位置は、コネクタ６に限定されることなく、操作部４からコネクタ６の間に設けられていればよい。すなわち、内視鏡本体部３内で、検出ファイバ１４からの戻り光と外付け検出ファイバ１０からの戻り光を合流すればよい。【００２７】
特に、接続部８及び合流部１５は、操作部４や操作部４に設けられた処置具挿通口７の近傍に設ける構成にするとよい。このような構成の場合、挿入部２が目的部位に到達した際に、即座に処置具挿通チャンネル１６から外付け検出ファイバ１０の挿入部１１を引き抜き、処置具と入れ替えが可能であり、操作性を向上させることができる。【００２８】
ここで、内視鏡１を有する内視鏡システムの電気的な構成について説明する。図４は、内視鏡１を有する内視鏡システムの電気的な構成を説明するための図である。【００２９】
図４に示すように、内視鏡システム１００は、内視鏡１と、この内視鏡１に接続される本体装置５０と、本体装置５０で得られる被検体像を表示するモニタ５１とを有して構成されている。上述したように、内視鏡１は、コネクタ６を介して本体装置５０と着脱自在に構成されている。【００３０】
挿入部２の先端面２ｃには、照明レンズ３１ａ及び３１ｂにより構成される先端光学系３１が設けられている。先端光学系３１は、後述するレーザ光源７１側から平凸レンズの照明レンズ３１ａ、凸平レンズの照明レンズ３１ｂの順に配置されている。なお、先端光学系３１は、２枚の照明レンズ３１ａ及び３１ｂで構成されているが、これに限定されるものではなく、１枚あるいは３枚以上の照明レンズで構成されていてもよい。【００３１】
また、後述するレーザ光源７１からの光を導光し、被観察体にレーザ光を照射する光ファイバ１３の先端側には、後述するドライバユニット６５からの駆動信号に基づき、光ファイバ１３の先端を所望の方向に走査させるアクチュエータ３２が設けられている。図示を省略しているが、光ファイバ１３とアクチュエータ３２との間には、例えば四角注の形状のフェルールが配置されており、このフェルールの各側面にアクチュエータ３２が配置される。【００３２】
このフェルールは、光通信の分野で用いられる部材であり、材質はジルコニア（セラミック）、ニッケル等が用いられ、光ファイバ１３の外径（例えば、１２５μｍ）に対して高精度（例えば、±１μｍ）での中心孔加工が容易に実現できる。そして、フェルールの略中心には、光ファイバ１３の径に基づいた貫通孔が設けられ、光ファイバ１３が接着剤等により固定される。【００３３】
また、操作部４の内部には、内視鏡１に関する各種情報を記憶したメモリ３３が設けられている。メモリ３３は、内視鏡１が本体装置５０に接続された際に、図示しない信号線を介して、後述するコントローラ６３に接続され、内視鏡１に関する各種情報がコントローラ６３によって読み出される。【００３４】
光ファイバ１３には、コネクタ６からアクチュエータ３２にかけて、例えば線状の金属で構成された複数の導線３４が蒸着されている。複数の導線３４の先端にはアクチュエータ３２が設けられている。そして、これらの複数の導線３４は、コネクタ６が本体装置５０に装着された際に、本体装置５０の後述するアンプ７５に接続される。これらの複数の導線３４は、アンプ７５から出力されたアクチュエータ３２を駆動するための駆動信号をアクチュエータ３２に供給する。【００３５】
本体装置５０は、電源６１と、メモリ６２と、コントローラ６３と、光源ユニット６４と、ドライバユニット６５と、検出ユニット６６とを有して構成されている。【００３６】
光源ユニット６４は、レーザ光源７１を有して構成されている。また、ドライバユニット６５は、信号発生器７３と、デジタルアナログ（以下、Ｄ／Ａという）変換器７４ａ及び７４ｂと、アンプ７５とを有して構成されている。【００３７】
検出ユニット６６は、分波器７６と、検出器７７ａ〜７７ｃと、アナログデジタル（以下、Ａ／Ｄという）変換器７８ａ〜７８ｃとを有して構成されている。【００３８】
電源６１は、図示しない電源スイッチ等の操作に応じて、コントローラ６３への電源の供給を制御する。メモリ６２には、本体装置５０全体の制御を行うための制御プログラム等が記憶されている。【００３９】
コントローラ６３は、電源６１から電源が供給されると、メモリ６２から制御プログラムを読み出し、光源ユニット６４、ドライバユニット６５の制御を行うとともに、検出ユニット６６で検出された被写体からの戻り光の光強度の解析を行い、得られた被写体像をモニタ５１に表示させる制御を行う。【００４０】
光源ユニット６４のレーザ光源７１は、コントローラ６３の制御に基づき、所定の波長帯域のレーザ光（照明光）を光ファイバ１３に出射する。この光ファイバ１３は、レーザ光源７１からのレーザ光（照明光）を照明レンズ３１ａ及び３１ｂを介して被観察体に出射する。【００４１】
ドライバユニット６５の信号発生器７３は、コントローラ６３の制御に基づき、光ファイバ１３の先端を所望の方向、例えば、螺旋状に走査（スキャン駆動）させるための駆動信号を出力する。具体的には、信号発生器７３は、光ファイバ１３の先端を挿入部２の挿入軸に対して左右方向（Ｘ軸方向）に駆動させる駆動信号をＤ／Ａ変換器７４ａに出力し、挿入部２の挿入軸に対して上下方向（Ｙ軸方向）に駆動させる駆動信号をＤ／Ａ変換器７４ｂに出力する。【００４２】
Ｄ／Ａ変換器７４ａ及び７４ｂは、それぞれ入力された駆動信号をデジタル信号からアナログ信号に変換し、アンプ７５に出力する。アンプ７５は、入力された駆動信号を増幅してアクチュエータ３２に出力する。アンプ７５から出力された駆動信号は、光ファイバ１３に蒸着されている複数の導線３４を介してアクチュエータ３２に供給される。【００４３】
アクチュエータ３２は、アンプ７５からの駆動信号に基づいて、光ファイバ１３の先端を揺動させ、螺旋状に走査させる。より具体的には、アクチュエータ３２は、光ファイバ１３と共に振動し、光ファイバ１３により射出される照明光が観察対象部位で走査するよう、光ファイバ１３を径方向に駆動する。これにより、光源ユニット６４のレーザ光源７１から光ファイバ１３に出射された光は、被観察体に対して螺旋状に順次照射される。【００４４】
検出ファイバ１４は、被観察体の表面領域で反射された戻り光を受光し、受光した戻り光を合流部１５に導光する。また、内視鏡１に外付け検出ファイバ１０が接続されている場合、外付け検出ファイバ１０は、被観察体の表面領域で反射された戻り光を受光し、受光した戻り光を合流部１５に導光する。【００４５】
合流部１５は、検出ファイバ１４から導光された戻り光と、外付け検出ファイバ１０から導光された戻り光とを合流し、分波器７６に導光する。なお、合流部１５は、内視鏡１に外付け検出ファイバ１０が接続されていない場合、検出ファイバ１４から導光された戻り光をそのまま分波器７６に導光する。【００４６】
分波器７６は、例えば、ダイクロイックミラー等であり、所定の波長帯域で戻り光を分波する。具体的には、分波器７６は、合流部１５から導光された戻り光を、Ｒ，Ｇ，Ｂの波長帯域の戻り光に分波し、それぞれ検出器７７ａ、７７ｂ及び７７ｃに出力する。【００４７】
検出器７７ａ、７７ｂ及び７７ｃは、それぞれＲ，Ｇ，Ｂの波長帯域の戻り光の光強度を検出する。検出器７７ａ、７７ｂ及び７７ｃで検出された光強度の信号は、それぞれＡ／Ｄ変換器７８ａ、７８ｂ及び７８ｃに出力される。【００４８】
Ａ／Ｄ変換器７８ａ〜７８ｃは、それぞれ検出器７７ａ〜７７ｃから出力された光強度の信号をアナログ信号からデジタル信号に変換し、コントローラ６３に出力する。【００４９】
コントローラ６３は、Ａ／Ｄ変換器７８ａ〜７８ｃからのデジタル信号に所定の画像処理を施して被写体像を生成し、モニタ５１に表示する。【００５０】
ここで、このように構成された内視鏡１の作用について説明する。【００５１】
まず、操作者は、被観察体に挿入部２を挿入する前に、処置具挿通チャンネル１６に外付け検出ファイバ１０の挿入部１１を挿通し、コネクタ６の接続部８に外付け検出ファイバ１０の接続部１２を接続することで、内視鏡１に外付け検出ファイバ１０を取り付ける。その後、操作者は、内視鏡１の挿入部２を被観察体の目的部位まで挿入していく。【００５２】
挿入部２を目的部位まで挿入しているときは、明るさが不足する比較的遠点での観察となる。このとき、内視鏡１には、外付け検出ファイバ１０が取り付けられているため、検出ファイバ２４の受光面で受光された被観察体からの戻り光が合流部１５に導光される。また、挿入部２に挿通されている検出ファイバ１４の受光面で受光された被観察体からの戻り光も合流部１５に導光される。【００５３】
合流部１５では、このように導光された外付け検出ファイバ１０からの戻り光と、検出ファイバ１４からの戻り光とが合流される。合流部１５で合流された戻り光は、本体装置５０の検出ユニット６６で光強度が検出され、コントローラ６３により所定の画像処理が施された後、モニタ５１に表示される。このように、内視鏡１に外付け検出ファイバ１０が取り付けられている場合、合流部１５により外付け検出ファイバ１０からの戻り光と、検出ファイバ１４からの戻り光とが合流され、必要な明るさが確保されるようになっている。【００５４】
次に、挿入部２が目的部位に到達した場合、比較的近点を観察するようになるため、検出ファイバ１４からの戻り光のみで十分な明るさを確保することができるようになる。そのため、操作者は、挿入部２が目的部位に到達すると、内視鏡１から外付け検出ファイバ１０を取り外す。すなわち、操作者は、処置具挿通チャンネル１６から外付け検出ファイバ１０の挿入部１１を引き抜き、コネクタ６の接続部８から外付け検出ファイバ１０の接続部１２を取り外す。そして、操作者は、必要に応じて処置具を処置具挿通チャンネル１６に挿通し、病変部等の処置を行う。【００５５】
このように、内視鏡１は、処置具挿通チャンネル１６に外付け検出ファイバ１０の挿入部１１を挿通し、被観察体からの戻り光を導光するようにしている。そのため、内視鏡１の挿入部２内に、戻り光を導光する検出ファイバを新たに設ける必要がなく、挿入部２の太径化を防ぐことができる。【００５６】
また、内視鏡１は、外付け検出ファイバ１０からの戻り光と検出ファイバ１４からの戻り光とを合流して明るさを確保するようにしているため、レーザ光の光量を上げる必要がなく、安全に明るさを確保することができる。【００５７】
よって、本実施の形態の内視鏡によれば、挿入部の外径の太径化を防ぎ、かつ、必要以上に高レベルのレーザ光を照射することなく、目的部位まで到達するのに必要な明るさを確保することができる。【００５８】
なお、従来の撮像素子を用いた内視鏡では、処置具挿通チャンネルに、本実施の形態とは反対に、外付け照明用ファイバを挿通して明るさを確保することが考えられる。しかしながら、このような構成の場合、照明用ファイバに照明用の強い光を導光するため、照明用ファイバが発熱し、熱傷等を引き起こす虞がある。これに対し、本実施の形態では、外付け検出ファイバ１０により戻り光を導光する構成のため、外付け検出ファイバ１０が発熱することなく、安全に明るさを確保することができる。【００５９】
（変形例）
図５は、第１の実施の形態の変形例に係る内視鏡システムの構成を説明するための図である。なお、図５において、図４と同様の構成については、同一の符号を付して説明を省略する。【００６０】
図５に示す内視鏡システム１００ａは、内視鏡１ａと、内視鏡１ａに接続される本体装置５０ａとを有して構成されている。【００６１】
内視鏡１ａは、図４の内視鏡１から接続部８及び合流部１５が削除されている。また、本体装置５０ａは、図４の本体装置５０に対して、外付け検出ファイバ１０の接続部１２が着脱可能な接続部７９と、検出ファイバ１４からの戻り光と外付け検出ファイバ１０からの戻り光とを合流する合流部１５とが追加されて構成されている。【００６２】
外付け検出ファイバ１０の挿入部１１が処置具挿通チャンネル１６に挿通され、接続部１２が本体装置５０ａの接続部７９に接続されると、外付き検出ファイバ１０で検出された戻り光が本体装置５０ａの合流部１５に導光される。また、合流部１５には、検出ファイバ１４からの戻り光も導光される。合流部１５は、検出ファイバ１４からの戻り光と外付け検出ファイバ１０からの戻り光とを合流し、分波器７６に導光する。その他の構成及び作用は、第１の実施の形態と同様である。【００６３】
本変形例によれば、第１の実施の形態と同様に、内視鏡１の挿入部２の外径の太径化を防ぎ、かつ、必要以上に高レベルのレーザ光を照射することなく、目的部位まで到達するのに必要な明るさを確保することができる。【００６４】
（第２の実施の形態）
次に、第２の実施の形態について説明する。図６は、第２の実施の形態に係る内視鏡の構成を示す図である。なお、図６において、図１と同様の構成については、同一の符号を付して説明を省略する。【００６５】
図６に示す内視鏡１ｂは、図１の内視鏡１に対して、フック状の複数の係止部８０ａ、８０ｂ及び８０ｃが追加されて構成されている。係止部８０ａは、操作部４に設けられ、係止部８０ｂは、可撓管部５に設けられ、係止部８０ｃは、コネクタ６に設けられている。なお、内視鏡１ｂは、３つの係止部８０ａ〜８０ｃを有する構成であるが、少なくとも１つ以上の係止部を有する構成であればよい。【００６６】
これらの係止部８０ａ〜８０ｃは、処置具挿通チャンネル１６に挿通しきれない外付け検出ファイバ１０の挿入部１１を内視鏡本体部３に並走するように固定する。【００６７】
この結果、本実施の形態の内視鏡１ｂによれば、処置具挿通チャンネル１６に挿通しきれない外付け検出ファイバ１０の挿入部１１が操作者の邪魔になることがなくなる。【００６８】
（第３の実施の形態）
次に、第３の実施の形態について説明する。【００６９】
図７は、外付け検出ファイバ接続部とコネクタの接続部との接続構成を説明するための断面図である。なお、図７において、図３と同様の構成については、同一の符号を付して説明を省略する。【００７０】
例えば、図３の外付け検出ファイバ１０の接続部１２の構成の場合、コネクタ６の接続部８に接続する際に、接続部１２への衝撃によって、検出ファイバ２４が折れ等により破損する虞がある。【００７１】
そこで、図７に示す外付け検出ファイバ１０は、内視鏡本体部３に沿うようにＬ字型の接続部１２ａを有する。このような構成により、外付け検出ファイバ１０の接続部１２ａをコネクタ６の接続部８へ接続した際に、接続部１２ａへの衝撃によって検出ファイバ２４が破損しないようにする。【００７２】
なお、捩じれによる検出ファイバ２４の折れ等の破損を防止するために、外付け検出ファイバ１０の接続部１２ａは、回動自在であってもよい。【００７３】
また、回動自在の機構による過度な捩じれを防止するために、回動角度を０度から３６０度までの範囲内で回動規制をかける機構を設けてもよい。【００７４】
図８Ａ及び図８Ｂは、外付け検出ファイバ接続部とコネクタの接続部との他の接続構成を説明するための図である。【００７５】
図８Ａは、コネクタ６の接続部８ａを上から見た図であり、接続部８ａは、外付け検出ファイバ１０の接続部１２ａを１８０度までの範囲内で回動を規制する回動規制部８１を有している。【００７６】
また、図８Ｂに示すように、外付け検出ファイバ１０の接続部１２ｂは、回動規制部８１に回動自在に嵌合する回動規制用の突起８２を有している。外付け検出ファイバ１０の接続部１２ｂがコネクタ６の接続部８ａに接続されると、突起８２が回動規制部８１に嵌合し、接続部１２ｂが接続部８ａの周方向に１８０度までの範囲内で回動する。【００７７】
このような回動規制部８１及び突起８２により、外付け検出ファイバ１０の過度な捩じれを防止し、検出ファイバ２４の折れを防止することができる。【００７８】
（第４の実施の形態）
次に、第４の実施の形態について説明する。【００７９】
図９は、コネクタの接続部の構成を説明するための図である。なお、図９において、図３と同様の構成については、同一の符号を付して説明を省略する。【００８０】
例えば、図３のコネクタ６の接続部８は、凹形状となっているため、接続部８に埃等が侵入し、カバーガラス２７に汚れが付着し、とどまりやすくなっている。このように、カバーガラス２７に汚れが付着すると、外付け検出ファイバ１０からの戻り光が遮られ、明るさの減少の原因となる。すなわち、目的部位に到達するまでに必要な明るさが不足する虞がある。【００８１】
そこで、図９に示すように、コネクタ６の接続部８ｂは、先端部にコネクタ６の外側に凸となるようなカバーガラス枠８３を設け、カバーガラス２７を固定する。コネクタ６の接続部８ｂは、外付け検出ファイバ１０の接続部１２（第２の接続部）が接続される第１の接続部を構成する。これにより、カバーガラス２７への埃等を付着しにくくする。【００８２】
この結果、コネクタ６の接続部８ｂは、カバーガラス枠８３により埃等が付着してたまることを防ぐことができるので、カバーガラス２７に汚れが付着せず、目的部位に到達するまでに必要な明るさを確保することができる。【００８３】
図１０Ａ及び図１０Ｂは、コネクタの接続部の他の構成を説明するための図である。【００８４】
図１０Ａに示すように、コネクタ６の接続部８ｃは、先端部に埃等の侵入を防ぐシャッタ８４が設けられている。そして、図１０Ｂに示すように、外付け検出ファイバ１０を接続部１２が接続部８ｃに接続される際に、シャッタ８４が接続部８ｃの内側に開き、接続部１２がコネクタ６の接続部８ｃに接続されるようになっている。【００８５】
この結果、コネクタ６の接続部８ｃは、上述した接続部８ｂと同様に、シャッタ８４により埃等の侵入を防ぐことができるので、カバーガラス２７に汚れが付着せず、目的部位に到達するまでに必要な明るさを確保することができる。【００８６】
本発明は、上述した実施の形態に限定されるものではなく、本発明の要旨を変えない範囲において、種々の変更、改変等が可能である。【００８７】
本出願は、２０１３年９月２７日に日本国に出願された特願２０１３−２０１８９９号公報を優先権主張の基礎として出願するものであり、上記の開示内容は、本願明細書、請求の範囲、図面に引用されたものとする。
【要約】
内視鏡１は、挿入部２と、被観察体からの光を受光可能な先端面１４ａと、先端面１４ａで受光した光を伝達する検出ファイバ１４と、先端面１４ａの近傍に開口する開口部１７と、挿入部２内に挿通された処置具挿通チャンネル１６と、挿入部２に連設された内視鏡本体部３と、内視鏡本体部３に設けられ、処置具挿通チャンネル１６に連通する開口を有する処置具挿通口７と、内視鏡本体部３に設けられ、内視鏡本体部３の外側と内側との間で導光可能な外付け検出ファイバ１０と、内視鏡本体部３の内側に設けられるとともに、検出ファイバ１４により伝達された光と、外付け検出ファイバ１０により導光された光とを合流させる合流部１５と、を有する。【図１】
0005767411.tif 000002
【図２】
0005767411.tif 000003
【図３】
0005767411.tif 000004
【図４】
0005767411.tif 000005
【図５】
0005767411.tif 000006
【図６】
0005767411.tif 000007
【図７】
0005767411.tif 000008
【図８Ａ】
0005767411.tif 000009
【図８Ｂ】
0005767411.tif 000010
【図９】
0005767411.tif 000011
【図１０Ａ】
0005767411.tif 000012
【図１０Ｂ】
0005767411.tif 000013